(57)【特許請求の範囲】
【請求項１】
台座、桶体及び打撃部材を備えた打撃練習装置であって、
前記台座は、上ハウジング及び下ハウジングを含み、前記下ハウジングは、柔軟性材料からなり、前記台座内には、チャンバが形成され、前記台座は鉛直の中軸を定義し、前記チャンバは中軸に位置し、前記下ハウジングの外表面の少なくとも一部には凸弧面が形成され、前記上ハウジングの頂部には、接続部が形成され、
前記桶体は、前記チャンバの輪郭に対応した輪郭を有し、前記チャンバ内に収容されるとともに、水又は砂を注入するために用いる桶口を有し、
前記打撃部材は、前記上ハウジングの前記接続部に配設されて上方へ延び、前記台座から離れた一端に少なくとも１つの打撃部を有することを特徴とする、
打撃練習装置。
【請求項２】
前記下ハウジングは、底面が平面に形成され、前記底面と前記下ハウジングの側面とが接続される箇所には凸弧面が形成され、前記上ハウジング及び前記下ハウジングは、高弾性フォームからなることを特徴とする請求項１に記載の打撃練習装置。
【請求項３】
前記下ハウジングには、金属製の骨格が内設され、前記骨格は、底盤と、複数のフレームと、リングフレームとを含み、前記底盤は、前記下ハウジングの底部に位置し、前記リングフレームは、前記下ハウジングの頂部に位置し、前記フレームは、間隔をおいて配列され、前記底盤と前記リングフレームとの間に接続されることを特徴とする請求項２に記載の打撃練習装置。
【請求項４】
前記桶体は、縦断面で見たときに略菱形である上、上が狭く下に向かうに従い拡がった形状を呈していることを特徴とする請求項１に記載の打撃練習装置。
【請求項５】
前記上ハウジングには、第１のチャンバが凹設され、前記下ハウジングには、第２のチャンバが凹設され、前記上ハウジングと前記下ハウジングとが接合されると、前記第１のチャンバと前記第２のチャンバとが連通して前記チャンバが形成されることを特徴とする請求項１に記載の打撃練習装置。
【請求項６】
前記上ハウジングと前記下ハウジングとの接合箇所は連続状であり、前記上ハウジングと前記下ハウジングとは、接着テープが貼着されて連結固定され、前記台座が球体状を呈していることを特徴とする請求項５に記載の打撃練習装置。
【請求項７】
外カバーをさらに備え、前記外カバーは、下カバー体及び上カバー体を含み、前記下カバー体は、前記下ハウジングを覆うとともに、上方向を向いている開口部を有し、前記上カバー体は、前記打撃部材及び前記上ハウジングを覆うとともに、下方向を向いている開口部を有し、前記上カバー体の前記開口部には、少なくとも１つの第１の結合部材が配設され、前記下カバー体の前記開口部には、少なくとも１つの第２の結合部材が配設され、前記第１の結合部材と前記第２の結合部材とが選択的に結合されるに伴い、前記上カバー体と前記下カバー体とが連結されることを特徴とする請求項１に記載の打撃練習装置。
【請求項８】
前記第１の結合部材と前記第２の結合部材とは互いに対応したスライドファスナー部材であり、前記上カバー体の前記開口部は、下方へ延びたスカート部を有し、前記第１の結合部材と前記第２の結合部材とが結合され、前記第１の結合部材及び前記第２の結合部材は、露出しないように前記スカート部により覆われることを特徴とする請求項７に記載の打撃練習装置。
【発明の詳細な説明】
【技術分野】
【０００１】
本発明は、打撃練習装置に関する。
【背景技術】
【０００２】
従来、バッティング又はボクシングの練習で用いるトレーニング機材は、台座と、台座から上方へ延びた打撃柱と、台座と打撃柱との間に接続された復位部材（スプリングなど）とから構成された構造を有し、利用者が打撃柱をパンチするとそれに伴い台座が揺動し、次の打撃に都合が良いように、打撃柱が復位部材により反対方向へ変位し、復位する。しかしスプリングなどの復位部材は損壊しやすい上、戻し力が大きすぎて利用者が怪我をしてしまう虞があった。
【０００３】
この問題点に鑑み、従来技術では、比較的安全な構造（例えば特許文献１）が開示されている。この比較的安全な構造は、だるまに似た構造を有し、台座と、台座に固設された打撃柱とを含み、台座の底部が凸弧状又は球状を呈し、台座の重量が打撃柱よりも重く設計されている。そのため、打撃柱が衝撃を受けて揺動すると台座もそれに伴い揺動するが、重心が台座の中央部分に集中しているため、打撃柱が鉛直位置に自動的に戻り、次のパンチを行うのに都合が良い。
【０００４】
しかしながら、上述の台座にはセメントが充填されて製作されていたため、誤って台座を打撃すると利用者が怪我をしてしまう虞があった。
【先行技術文献】
【特許文献】
【０００５】
【特許文献１】米国特許第７３９０２８８号明細書
【発明の概要】
【発明が解決しようとする課題】
【０００６】
本発明の主な目的は、衝撃が加わっても鉛直位置に自動的に戻る上、様々な領域を打撃の的（ターゲット）として用いることができる打撃練習装置を提供することにある。
【課題を解決するための手段】
【０００７】
上記課題を解決するために、本発明の第１の形態によれば、台座、桶体及び打撃部材を備えた打撃練習装置であって、前記台座は、上ハウジング及び下ハウジングを含み、前記下ハウジングは、柔軟性材料からなり、前記台座内には、チャンバが形成され、前記台座は鉛直の中軸を定義し、前記チャンバは中軸に位置し、前記下ハウジングの外表面の少なくとも一部には凸弧面が形成され、前記上ハウジングの頂部には、接続部が形成され、  前記桶体は、前記チャンバの輪郭に対応した輪郭を有し、前記チャンバ内に収容されるとともに、水又は砂を注入するために用いる桶口を有し、前記打撃部材は、前記上ハウジングの前記接続部に配設されて上方へ延び、前記台座から離れた一端に少なくとも１つの打撃部を有することを特徴とする打撃練習装置が提供される。
【０００８】
前記下ハウジングは、底面が平面に形成され、前記底面と前記下ハウジングの側面とが接続される箇所には凸弧面が形成され、前記上ハウジング及び前記下ハウジングは、高弾性フォームからなることが好ましい。
【０００９】
前記下ハウジングには、金属製の骨格が内設され、前記骨格は、底盤と、複数のフレームと、リングフレームとを含み、前記底盤は、前記下ハウジングの底部に位置し、前記リングフレームは、前記下ハウジングの頂部に位置し、前記フレームは、間隔をおいて配列され、前記底盤と前記リングフレームとの間に接続されることが好ましい。
【００１０】
前記桶体は、縦断面で見たときに略菱形である上、上が狭く下に向かうに従い拡がった形状を呈していることが好ましい。
【００１１】
前記上ハウジングには、第１のチャンバが凹設され、前記下ハウジングには、第２のチャンバが凹設され、前記上ハウジングと前記下ハウジングとが接合されると、前記第１のチャンバと前記第２のチャンバとが連通して前記チャンバが形成されることが好ましい。
【００１２】
前記上ハウジングと前記下ハウジングとの接合箇所は連続状であり、前記上ハウジングと前記下ハウジングとは、接着テープが貼着されて連結固定され、前記台座が球体状を呈していることが好ましい。
【００１３】
外カバーをさらに備え、前記外カバーは、下カバー体及び上カバー体を含み、前記下カバー体は、前記下ハウジングを覆うとともに、上方向を向いている開口部を有し、前記上カバー体は、前記打撃部材及び前記上ハウジングを覆うとともに、下方向を向いている開口部を有し、前記上カバー体の前記開口部には、少なくとも１つの第１の結合部材が配設され、前記下カバー体の前記開口部には、少なくとも１つの第２の結合部材が配設され、前記第１の結合部材と前記第２の結合部材とが選択的に結合されるに伴い、前記上カバー体と前記下カバー体とが連結されることが好ましい。
【００１４】
前記第１の結合部材と前記第２の結合部材とは互いに対応したスライドファスナー部材であり、前記上カバー体の前記開口部は、下方へ延びたスカート部を有し、前記第１の結合部材と前記第２の結合部材とが結合され、前記第１の結合部材及び前記第２の結合部材は、露出しないように前記スカート部により覆われることが好ましい。
【発明の効果】
【００１５】
本発明の打撃練習装置は、桶体の重心が中軸上に維持され、打撃部材が利用者の打撃を受けても台座が鉛直位置まで自動的に戻るため倒れない上、地面に接触する箇所が桶体ではなく下ハウジングであるため、摩損を防ぎ、打撃部材又は軟質性の下ハウジングをバットで打ったり手でパンチしたり足でキックしたりする的として用いることができる。
【図面の簡単な説明】
【００１６】
【図１】本発明の一実施形態に係る打撃練習装置を示す分解斜視図である。
【図２】本発明の一実施形態に係る打撃練習装置の組立状態の説明図である。
【図３】本発明の一実施形態に係る打撃練習装置を示す斜視図である。
【図４】本発明の一実施形態に係る打撃練習装置を示す断面図である。
【図５】本発明の一実施形態に係る打撃練習装置の使用状態の説明図である。
【発明を実施するための形態】
【００１７】
以下、本発明の実施形態について図に基づいて説明する。なお、これによって本発明が限定されるものではない。
【００１８】
図１〜図５を参照する。図１〜図５に示すように本発明の一実施形態に係る打撃練習装置は、少なくとも台座１０、桶体２０、打撃部材３０及び外カバー４０から構成されてなる。
【００１９】
台座１０は、高弾性フォーム（ｈｉｇｈ  ｒｅｓｉｓｔａｎｃｅ  ｆｏａｍ）などの弾性材料からなる。台座１０は、上ハウジング１１及び下ハウジング１２を含む。
上ハウジング１１には、第１のチャンバ１１１が凹設されている。下ハウジング１２には、第２のチャンバ１２１が凹設されている。上ハウジング１１と下ハウジング１２とが接合されると、第１のチャンバ１１１と第２のチャンバ１２１とが連通してチャンバが形成される。
台座１０は鉛直の中軸を定義する。チャンバは中軸に位置する。下ハウジング１２の外表面の少なくとも一部には、凸弧面又は球面が形成されている。好適には、下ハウジング１２の底面が平面に形成され、下ハウジング１２の底面とその側面とが接続される箇所には凸弧面が形成されている。上ハウジング１１の頂部には、上方を向いた接続部１１２が形成されている。さらに詳細に述べると、上ハウジング１１と下ハウジング１２とが接合されると、外表面が連続的に接続され、台座１０の外観が球体状となる。好適には、上ハウジング１１と下ハウジング１２との接続箇所に接着テープ１３が貼着されると、上ハウジング１１と下ハウジング１２とが連結固定される。
【００２０】
本実施形態の下ハウジング１２には、金属製の骨格１２２が内設されている。骨格１２２は、底盤１２２１と、複数のフレーム１２２２と、リングフレーム１２２３とを含む。
底盤１２２１は、下ハウジング１２の底部に位置する。リングフレーム１２２３は、下ハウジング１２の頂部に位置する。これら複数のフレーム１２２２は、間隔をおいて配列され、底盤１２２１とリングフレーム１２２３との間に接続される。骨格１２２は、下ハウジング１２のおもり効果を高めて重心を得て、本発明の打撃練習装置が打撃を受けて傾くと、複数のフレーム１２２２の戻し力により底盤１２２１が鉛直位置まで引き戻される。
【００２１】
桶体２０は、チャンバの輪郭に対応した輪郭を有し、チャンバ内に収容されている。さらに詳細に述べると、桶体２０は、ブロー成形されたプラスチック製桶体である。桶体２０には、液体又は個体を収容する収容空間が内部に形成されている。
桶体２０は、液体又は固体（例えば、水又は砂）を注入するために用いる桶口２１を頂部に有する。桶口２１は上ハウジング１１から露出され、桶体２０は、縦断面で見たときに略菱形である上、上が狭く下に向かうに従い拡がった形状を呈しているため、チャンバの空間が効率的に利用できる。
【００２２】
打撃部材３０は、上ハウジング１１の接続部１１２に設置されて上方へ延びる。打撃部材３０には、台座１０から離れた一端に少なくとも１つの打撃部が形成されている。さらに詳細に述べると、打撃部材３０は、円柱状を呈して弾性材料からなる。打撃部材３０の一端は、嵌め込まれるか接着固定する方式により、上ハウジング１１の接続部１１２に固定される。
【００２３】
外カバー４０は、下カバー体４２及び上カバー体４１を含む。下カバー体４２は、下ハウジング１２を覆い、上方向を向いている開口部を有する。上カバー体４１は、打撃部材３０及び上ハウジング１１を覆い、下方向を向いている開口部を有する。上カバー体４１の開口部には、少なくとも１つの第１の結合部材が配設されている。下カバー体４２の開口部には、少なくとも１つの第２の結合部材が配設されている。第１の結合部材と第２の結合部材とを選択的に結合させると上カバー体４１と下カバー体４２とが連結される。
本実施形態の第１の結合部材と第２の結合部材とは、それぞれ対応したスライドファスナー部材である。第１の結合部材と第２の結合部材とが組み合わされると、スライドファスナー４３が形成される。上カバー体４１は、下方へ延びたスカート部４１１を開口部に有する。第１の結合部材と第２の結合部材とを結合させると、スカート部４１１により第１の結合部材及び第２の結合部材が覆われて露出されない状態となる。
【００２４】
実際には、まず、下ハウジング１２が下カバー体４２内に取り付けられ、その後、桶体２０に水、砂などを注入して重量を増やし、下ハウジング１２の第２のチャンバ１２１中に設置した後、上ハウジング１１で覆って桶体２０をチャンバに嵌め込み、打撃部材３０を上ハウジング１１の接続部１１２に取り付けた後、最終的に上カバー体４１で覆って第１の結合部材と第２の結合部材とが結合され、上カバー体４１と下カバー体４２とが位置決めされて取り付け作業が完了する。
【００２５】
また、本実施形態の台座が高弾性フォームからなるため、利用者は、打撃部材３０又は台座１０を選択してパンチ又はキックのトレーニングを行うことができる。また、下ハウジング１２の底面と側面との接続箇所に凸弧面が形成されているため、打撃部材３０が地面に対して揺動しても重心を良好な状態に維持することができる。また、桶体２０が中軸上に位置し、台座１０の重心が中軸上に集中しているため、打撃部材３０が揺動している方向とは反対方向へ引き戻され、中軸が鉛直方向に戻されるダルマの動きに似た動作を行うため、次回のパンチを都合よく行うことができる。
【００２６】
ここで、本実施形態において桶体の底部は直接凸弧状に設計されておらず、桶体の外カバー上の上下の各半球体のハウジングを利用しているため、実際に地面に摩擦・接触するハウジングは桶体でなく、桶体又は地面の摩損を防ぐことができる上、弾性を有するハウジングにより打撃を行う際、異なる部位を選択することができる。
例えば、本発明を平らに置いて利用者が打撃部材上に跨って乗ると、台座に向かって様々な打撃練習を行うことができる。即ち、大きめの力で衝撃を加えても、台座内の桶体がプラスチックからなるため、利用者が怪我することを防ぐことができる上、様々な方式で使用することもできる。
【００２７】
また、本発明の下ハウジングに骨格を埋設するとともに重心を下方へ移動させて戻し力を得て、構造強度を高めることにより、下ハウジングを打撃の的として用いる際の支持力を高めることもできる。
【００２８】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２９】
１０      台座
１１      上ハウジング
１２      下ハウジング
１３      接着テープ
２０      桶体
２１      桶口
３０      打撃部材
４０      外カバー
４１      上カバー体
４２      下カバー体
４３      スライドファスナー
１１１    第１のチャンバ
１１２    接続部
１２１    第２のチャンバ
１２２    骨格
４１１    スカート部
１２２１  底盤
１２２２  フレーム
１２２３  リングフレーム
【要約】
【課題】衝撃が加わっても鉛直位置に自動的に戻る上、様々な領域を打撃の的として用いることができる打撃練習装置を提供する。
【解決手段】打撃練習装置は、台座、桶体２０及び打撃部材３０を備える。台座は、上ハウジング１１及び下ハウジング１２を含む。下ハウジング１２は、柔軟性材料からなる。台座内には、チャンバが形成され、台座は鉛直の中軸を定義し、チャンバは中軸に位置する。下ハウジング１２の外表面の少なくとも一部には凸弧面が形成される。上ハウジング１１の頂部には、接続部１１２が形成される。桶体２０は、チャンバの輪郭に対応した輪郭を有し、チャンバ内に収容されるとともに、水又は砂を注入するために用いる桶口２１を有する。打撃部材３０は、上ハウジング１１の接続部１１２に配設されて上方へ延び、台座から離れた一端に少なくとも１つの打撃部を有する。
【選択図】図１【図１】
0005856669.tif 000002
【図２】
0005856669.tif 000003
【図３】
0005856669.tif 000004
【図４】
0005856669.tif 000005
【図５】
0005856669.tif 000006